(57)【特許請求の範囲】
【請求項１】
排気方向に円弧の頂点を向けた固定羽根部材を一定の間隔で配置すると共に、この固定羽根部材の円弧の頂点の内側に円弧の頂点が位置し、この円弧に続く谷が前記固定羽根部材間の隙間を覆うと共に、前記固定羽根部材の内側に位置する部分に排気口を形成し、排気温度が一定以上となったときに温度感知手段が作動して固定が解除されることにより、スプリングの力でスライドして前記排気口が固定羽根部材の内面に接触して閉塞され、排気を遮断する構造の可動羽根部材を設けて成る火炎伝送防止装置。
【請求項２】
半円形状の回転羽根の両縁が互いに前記半円形状の回転羽根の内側に位置するように対向させながら交互に配置し、排気温度が一定以上となったときに温度感知手段が作動して固定が解除されると、スプリングの力で前記回転羽根が半円形状の中心軸の周りにおいて互いに反対方向に回転して羽根の縁同士が当接し、排気を遮断するように構成して成る火炎伝送防止装置。
【請求項３】
温度感知手段として、温度ヒューズ又はバイメタル又は形状記憶合金を用いる請求項１又は２に記載の火炎伝送防止装置。
【発明の詳細な説明】
【０００１】
【発明の属する技術分野】
本発明は、防火・防煙を目的として、排気フード内のグリスフィルター部分において高温排気又は火炎を遮断する火炎伝送防止装置に関するものである。
【０００２】
【従来の技術】
業務用の調理場に設置されたグリスフィルター付の排気フードから排出される排気を排気ダクトを用いて屋外に排出する場合、排気ダクト内に付着した油脂分に火が着いたり、この油脂分から煙が出るのを防止する目的で、火炎伝送防止装置を取り付けることが義務化されている。
【０００３】
図７に、従来の火炎伝送防止装置を示す。
この図７において、１は排気フード、２は排気フード１内に取り付けられたグリスフィルター、３は排気ダクト、４は排気ダクト３の入口を少し入った部分に取り付けられた火炎伝送防止装置であって、この火炎伝送防止装置４は、図８（ａ）に示すように、多数の羽根板５…が正常時は開放していて、高温排気又は火炎、例えば１８０℃を温度ヒューズ７が検出すると、スプリングの力で図８（ｂ）に示すように閉じ、高温排気又は火炎を遮断する構造である。図９（ａ）（ｂ）は温度ヒューズ７の構造を示すもので、２枚のプレート７ａ、７ｂを鉛８で接着していて、この鉛８が高温で溶けるとプレート７ａ、７ｂが離れて羽根板５…がスプリングの力で閉じるようになっている。
【０００４】
【発明が解決しようとする課題】
しかし、上記従来の火炎伝送防止装置においては、次のような欠点がある。
１．火炎伝送防止装置４はダクト工事と厨房工事との間に位置するため、設置されない    ケースがある。
２．火炎伝送防止装置４は、通常天井裏に位置するため、常時メンテナンスができない    。
【０００５】
３．グリスフィルター２で油脂分を除去していても、経時的には火炎伝送防止装置４の    羽根板５…を含む可動部分に油脂分が付着し、これが固化してしまうことから、いざ    と云う時に円滑な作動を阻害して火炎伝送防止装置４が駆動しないか、駆動しても完    全に締まるまでに時間がかかることがある。
【０００６】
４．１枚１枚の羽根板５…に油脂分が付着するため、閉じたときに、羽根板５…同士が    完全に密着せず、隙間が出来てしまうことがある。
５．既設の設備に対しては取り付けが困難である。
本発明の目的は、上記１〜５に記述した課題を全て解決する火炎伝送防止装置を提供することである。
【０００７】
【課題を解決するための手段】
上記目的を達成するため、請求項１に記載の発明においては、火炎伝送防止装置において、排気方向に円弧の頂点を向けた固定羽根部材を一定の間隔で配置すると共に、この固定羽根部材の円弧の頂点の内側に円弧の頂点が位置し、この円弧に続く谷が前記固定羽根部材間の隙間を覆うと共に、前記固定羽根部材の内側に位置する部分に排気口を形成し、排気温度が一定以上となったときに温度感知手段が作動して固定が解除されることにより、スプリングの力でスライドして前記排気口が固定羽根部材の内面に接触して閉塞され、排気を遮断する構造の可動羽根部材を設けたことを特徴とするものである。
【０００８】
更に、請求項２に記載の発明においては、火炎伝送防止装置において、半円形状の回転羽根の両縁が互いに前記半円形状の回転羽根の内側に位置するように対向させながら交互に配置し、排気温度が一定以上となったときに温度感知手段が作動して固定が解除されると、スプリングの力で前記回転羽根が半円形状の中心軸の周りにおいて互いに反対方向に回転して羽根の縁同士が当接し、排気を遮断するように構成して成ることを特徴とするものである。
【０００９】
更に、請求項３に記載の発明においては、請求項１又は２に記載の火炎伝送防止装置において、温度感知手段として、温度ヒューズ又はバイメタル又は形状記憶合金を用いることを特徴とするものである。
【００１０】
【作用】
請求項１の場合には、固定羽根部材と可動羽根部材は離れていて、排気は可動羽根部材の排気口又は閉塞羽根間の隙間を経由して排気され、この排気温度が一定（設定）温度以上に上昇すると、固定部材と可動部材を固定していた温度ヒューズが溶融又はバイメタル又は形状記憶合金が変形して可動部材の固定を解除する。この解除により、可動部材はスプリングの作用でスライドし、閉塞用の羽根が互いに接触して排気口が閉じられる。この結果、高温排気（火炎）が排気ダクト内に流れ込むのが阻止されて火災等の発生が未然に防止される。請求項２の場合には、回転羽根が回転して互いに縁同士が接触して回転羽根間の隙間が閉じ、排気が遮断される。
【００１１】
【発明の実施の形態】
図１は、グリスフィルター付レンジフード１０とこのレンジフード１０において、グリスフィルター１１の前面にビス或いは固定枠等を用いて着脱自在に取り付けられた火炎伝送防止装置１２と、排気ダクト１３を示すもので、レンジフード１０から排気される排気の温度が一定以上になると、火炎伝送防止装置１２が作動して排気ダクト１３側に流れ込むのを阻止し、火災や黒煙等の発生を防止する。
【００１２】
【実施例１】
本実施例は請求項１に対応しており、この火炎伝送防止装置１２は、図２（ａ）に示すように、排気方向（矢印）に円弧の頂点２１を向けた固定羽根部材２０を一定の間隔で配置すると共に、この固定羽根部材２０の円弧の頂点２１の内側に円弧２３の頂点が位置し、谷２４が前記固定羽根部材２０間の隙間２７を覆うと共に、前記固定羽根部材２０の内側に位置する部分に排気口２５を形成し、排気温度が一定以上となったときに温度感知手段が作動して固定が解除されるとスプリング２６の力でスライドして前記排気口２５が固定羽根部材２０の内面に接触して閉塞され、排気を遮断する可動羽根部材２２を設けた構成から成り、図２（ｂ）に示すように、例えば温度ヒューズが排気熱で溶融すると、可動羽根部材２２がスプリング２６の力でスライドし、排気口２５が閉塞される。この結果、高温排気はグリスフィルター１１の部分で遮断され、これから先には流れなくなる。
【００１３】
【実施例２】
本実施例は請求項２に対応しており、図４（ａ）に示すように、半円形状の回転羽根４０、４１をその縁４２、４３が対向した回転羽根４０又は４１の内側に位置するように互いに対向させながら一定の間隔で配置し、排気温度が一定以上となったときに温度ヒューズ４５が作動して固定が解除されると、スプリング４６の力で前記回転羽根４０、４１は、半円形の中心軸の周りにおいて、互いに反対方向に回転して羽根同士の縁４２、４３が当接し、排気を遮断するようにした構成から成り、図４（ｂ）に示すように、温度ヒューズ４５（図５参照）が排気熱で溶融すると、回転羽根４０、４１が軸４９を中心としてスプリング４６の力で互いに反対方向に回転し、互いの縁４２、４３が当って止まり、隙間４４が全体において閉塞されて高温排気はグリスフィルター１１の部分で遮断され、これから先には流れない。
【００１４】
図５（ａ）（ｂ）は温度ヒューズ４５の取り付け例であって、この温度ヒューズ４５は回転羽根４０、４１を互いに固定していて、排気温度が一定温度以上になると溶融し、固定を解除する。この結果、スプリング４６の力で回転羽根４０、４１が回転する。なお、上記温度ヒューズ４５に代えて、例えば一定温度以上になると変位するバイメタル又は形状記憶合金を用いて固定又は固定解除の作動を行うようにしてもよい。
【００１５】
図６（ａ）（ｂ）は図５に示した実施例において、図５に示すように一ヶ所に温度ヒューズ４５等を取り付けて固定したときに、全体が一緒に作動するように連桿４７、４８を取り付けた例であって、（ａ）は通常時、（ｂ）は作動時である。この方式を用いると温度ヒューズ４５及び駆動用のスプリング４６は１ヶ所に設けるだけで良い。
なお、上記実施例は、火炎伝送防止装置１２をグリスフィルター１１の前面に取り付けているが、反対にグリスフィルター１１の内側（裏側）に取り付けてもよい。
【００１６】
【発明の効果】
本発明は以上のように、火炎の伝送を防止する火炎伝送防止装置をグリスフィルターの前面又は内側に取り付けて火炎、又は高温排気がダクト側に流出するのを防止するため、次の効果を奏する。
１．グリスフィルターは定期的にメンテナンスを行うようになっているため、この時に    併せて火炎伝送防止装置のメンテナンスを行うことができるので、火炎伝送防止装置    を常に最良のコンデションに保つことができる。
２．火炎伝送防止装置をグリスフィルターの前面に取り付けた場合、作動状態が外見上    すぐ判る。
【００１７】
３．可動枠全体がそのままスプリングの力で移動するため、油脂分の付着により作動が    円滑に行われなくなるということがない。
４．既設のグリスフィルターの前面又は内側に取り付けて使用が可能である。
【図面の簡単な説明】
【図１】  本発明に係る火炎伝送防止装置付レンジフードの説明図
【図２】  実施例１に係る火炎伝送防止装置の説明図
【図３】  Ａ−Ａ′線断面図
【図４】  実施例２に係る火炎伝送防止装置の説明図
【図５】  温度ヒューズの説明図
【図６】  回転羽根を一緒に作動させる例の説明図
【図７】  従来の火炎伝送防止装置の説明図
【図８】  従来の火炎伝送装置において、（ａ）はシャッターが開いている状態、（ｂ）は閉じた状態の説明図
【図９】  従来の温度ヒューズとこの作用の説明図
【符号の説明】
１０  グリフフィルター付レンジフード
１１  グリスフィルター
１２  火炎伝送防止装置
１３  排気ダクト
２０  固定羽根部材
２２  可動羽根部材
２５  排気口
３０  固定羽根部材
３３  可動羽根部材
３４  閉塞羽根
４０、４１  回転羽根
４５  温度ヒューズ
４６  スプリング
【図１】
0003947318.tif 000002
【図２】
0003947318.tif 000003
【図３】
0003947318.tif 000004
【図４】
0003947318.tif 000005
【図５】
0003947318.tif 000006
【図６】
0003947318.tif 000007
【図７】
0003947318.tif 000008
【図８】
0003947318.tif 000009
【図９】
0003947318.tif 000010